(57)【要約】【課題】開閉カバーの開閉操作性に優れるサンバイザを提供する。【解決手段】本サンバイザ１は、サンバイザ本体２と、サンバイザ本体にスライド自在に支持されるスライド部材３０と、スライド部材をスライド方向に沿う第１及び第２スライド位置Ｐ１，Ｐ２で位置決め可能なロック部材４０と、サンバイザ本体の表面側に押圧操作可能に設けられ、スライド部材が第１スライド位置に位置するときにスライド部材の一部に対向又は接触しスライド部材が第２スライド位置に位置するときにロック部材の一部に対向又は接触する当接部２６を有するプッシュボタン２３と、第２スライド位置に位置するスライド部材を第１スライド位置に向かって付勢する弾性体（コイルバネ４６）と、サンバイザ本体の表面側の一部を開閉するようにサンバイザ本体に回動自在に支持される開閉カバー（ミラーユニット４）と、スライド部材と開閉カバーとの間に設けられスライド部材のスライド移動を開閉カバーの回動に変換する動力変換機構と、を備える。【選択図】図６
2011006004.tif 000002
【特許請求の範囲】
【請求項１】
サンバイザ本体と、
前記サンバイザ本体にスライド自在に支持されるスライド部材と、
前記スライド部材を、該スライド部材のスライド方向に沿う第１スライド位置及び第２スライド位置で位置決め可能なロック部材と、
前記サンバイザ本体の表面側に押圧操作可能に設けられ、前記スライド部材が前記第１スライド位置に位置するときに該スライド部材の一部に対向又は接触し且つ前記スライド部材が前記第２スライド位置に位置するときに前記ロック部材の一部に対向又は接触する当接部を有するプッシュボタンと、
前記第２スライド位置に位置する前記スライド部材を前記第１スライド位置に向かって付勢する弾性体と、
前記サンバイザ本体の表面側の一部を開閉するように該サンバイザ本体に回動自在に支持される開閉カバーと、
前記スライド部材と前記開閉カバーとの間に設けられ、該スライド部材のスライド移動を該開閉カバーの回動に変換する動力変換機構と、を備え、
前記プッシュボタンの押圧操作によって、前記スライド部材が前記第１スライド位置に位置するときには、前記プッシュボタンの前記当接部が該スライド部材の一部に当接して該スライド部材が前記第２スライド位置に向かってスライド移動され、前記スライド部材が前記第２スライド位置に位置するときには、前記プッシュボタンの前記当接部が前記ロック部材の一部に当接して該ロック部材による該スライド部材の位置決めが解除され、前記弾性体の付勢力により該スライド部材が前記第１スライド位置に向かってスライド移動されるようにしたことを特徴とするサンバイザ。
【請求項２】
前記開閉カバーは、前記スライド部材が前記第１スライド位置に位置するときに前記サンバイザ本体の表面側の一部を閉鎖し、前記スライド部材が前記第２スライド位置に位置するときに前記サンバイザ本体の表面側の一部を開放する請求項１記載のサンバイザ。
【請求項３】
前記スライド部材には、該スライド部材が前記第１スライド位置に位置するときに押圧操作される前記プッシュボタンの前記当接部が当接し且つ該プッシュボタンの押圧方向に交差する斜面部が設けられている請求項１又は２に記載のサンバイザ。
【請求項４】
前記スライド部材には、該スライド部材がスライド移動するときに前記サンバイザ本体に設けられた案内部に案内される被案内部が設けられている請求項１乃至３のいずれか一項に記載のサンバイザ。
【請求項５】
前記ロック部材には、前記スライド部材が前記第２スライド位置に位置するときに押圧操作される前記プッシュボタンの前記当接部が当接して弾性変形する支持片が設けられ、該支持片には、前記第１スライド位置及び前記第２スライド位置に位置する前記スライド部材に係止可能な係止部が設けられている請求項１乃至４のいずれか一項に記載のサンバイザ。
【請求項６】
前記動力変換機構は、前記スライド部材及び前記開閉カバーのうちの一方に設けられた雄ネジと、他方に設けられ該雄ネジと螺合する雌ネジと、を有している請求項１乃至５のいずれか一項に記載のサンバイザ。
【請求項７】
前記サンバイザ本体の表面側の一部には、前記開閉カバーが該サンバイザ本体の表面側の一部を開放したときに外部に露出する第１機能部品が設けられ、前記開閉カバーの表面側には、該開閉カバーが該サンバイザ本体の表面側の一部を開放したときに外部に露出する第２機能部品が設けられている請求項１乃至６のいずれか一項に記載のサンバイザ。
【請求項８】
前記第１機能部品及び前記第２機能部品は、鏡又は照明装置である請求項７記載のサンバイザ。
【発明の詳細な説明】
【技術分野】
【０００１】
本発明は、サンバイザに関し、さらに詳しくは、開閉カバーの開閉操作性に優れるサンバイザに関する。
【背景技術】
【０００２】
従来のサンバイザとして、サンバイザ本体にバニティミラーを開閉するように開閉カバーを回動自在に支持してなるものが一般に知られている（例えば、特許文献１参照）。この特許文献１には、バニティミラーを閉鎖する状態に開閉カバーを位置決めするロック機構を備え、ロック解除ボタンの押圧操作により位置決め解除された開閉カバーをバネの付勢力でバニティミラーを開放する方向に回転させるサンバイザが開示されている。
【０００３】
しかし、上記特許文献１のサンバイザでは、開閉カバーの開放動作はロック解除ボタンの押圧操作により行われるが、開閉カバーの閉鎖動作は開閉カバーの端縁側を指先で摘まんだりひっかけたりして行われている。そのため、例えば、爪の長い女性は爪の引っかかりに注意して開閉カバーを閉鎖しなければならず、開閉カバーを閉鎖するための操作性が低いものであった。
【先行技術文献】
【特許文献】
【０００４】
【特許文献１】特開平６−２９３２１７号公報
【発明の概要】
【発明が解決しようとする課題】
【０００５】
本発明は、上記現状に鑑みてなされたものであり、開閉カバーの開閉操作性に優れるサンバイザを提供することを目的とする。
【課題を解決するための手段】
【０００６】
本発明は、以下の通りである。
１．サンバイザ本体と、
前記サンバイザ本体にスライド自在に支持されるスライド部材と、
前記スライド部材を、該スライド部材のスライド方向に沿う第１スライド位置及び第２スライド位置で位置決め可能なロック部材と、
前記サンバイザ本体の表面側に押圧操作可能に設けられ、前記スライド部材が前記第１スライド位置に位置するときに該スライド部材の一部に対向又は接触し且つ前記スライド部材が前記第２スライド位置に位置するときに前記ロック部材の一部に対向又は接触する当接部を有するプッシュボタンと、
前記第２スライド位置に位置する前記スライド部材を前記第１スライド位置に向かって付勢する弾性体と、
前記サンバイザ本体の表面側の一部を開閉するように該サンバイザ本体に回動自在に支持される開閉カバーと、
前記スライド部材と前記開閉カバーとの間に設けられ、該スライド部材のスライド移動を該開閉カバーの回動に変換する動力変換機構と、を備え、
前記プッシュボタンの押圧操作によって、前記スライド部材が前記第１スライド位置に位置するときには、前記プッシュボタンの前記当接部が該スライド部材の一部に当接して該スライド部材が前記第２スライド位置に向かってスライド移動され、前記スライド部材が前記第２スライド位置に位置するときには、前記プッシュボタンの前記当接部が前記ロック部材の一部に当接して該ロック部材による該スライド部材の位置決めが解除され、前記弾性体の付勢力により該スライド部材が前記第１スライド位置に向かってスライド移動されるようにしたことを特徴とするサンバイザ。
２．前記開閉カバーは、前記スライド部材が前記第１スライド位置に位置するときに前記サンバイザ本体の表面側の一部を閉鎖し、前記スライド部材が前記第２スライド位置に位置するときに前記サンバイザ本体の表面側の一部を開放する上記１．記載のサンバイザ。
３．前記スライド部材には、該スライド部材が前記第１スライド位置に位置するときに押圧操作される前記プッシュボタンの前記当接部が当接し且つ該プッシュボタンの押圧方向に交差する斜面部が設けられている上記１．又は２．に記載のサンバイザ。
４．前記スライド部材には、該スライド部材がスライド移動するときに前記サンバイザ本体に設けられた案内部に案内される被案内部が設けられている上記１．乃至３．のいずれか一項に記載のサンバイザ。
５．前記ロック部材には、前記スライド部材が前記第２スライド位置に位置するときに押圧操作される前記プッシュボタンの前記当接部が当接して弾性変形する支持片が設けられ、該支持片には、前記第１スライド位置及び前記第２スライド位置に位置する前記スライド部材に係止可能な係止部が設けられている上記１．乃至４．のいずれか一項に記載のサンバイザ。
６．前記動力変換機構は、前記スライド部材及び前記開閉カバーのうちの一方に設けられた雄ネジと、他方に設けられ該雄ネジと螺合する雌ネジと、を有している上記１．乃至５．のいずれか一項に記載のサンバイザ。
７．前記サンバイザ本体の表面側の一部には、前記開閉カバーが該サンバイザ本体の表面側の一部を開放したときに外部に露出する第１機能部品が設けられ、前記開閉カバーの表面側には、該開閉カバーが該サンバイザ本体の表面側の一部を開放したときに外部に露出する第２機能部品が設けられている上記１．乃至６．のいずれか一項に記載のサンバイザ。
８．前記第１機能部品及び前記第２機能部品は、鏡又は照明装置である上記７．記載のサンバイザ。
【発明の効果】
【０００７】
本発明のサンバイザによると、プッシュボタンの押圧操作によって、スライド部材が第１スライド位置に位置決めされているときには、押圧操作されるプッシュボタンの当接部がスライド部材の一部に当接してスライド部材が第２スライド位置に向かってスライド移動され、このスライド部材のスライド移動が動力変換機構により開閉カバーの開放又は閉鎖方向への回転に変換される。一方、スライド部材が第２スライド位置に位置決めされているときには、押圧操作されるプッシュボタンの当接部がロック部材の一部に当接してロック部材によるスライド部材の位置決めが解除され、弾性体の付勢力によりスライド部材が第１位置に向かってスライド移動され、このスライド部材のスライド移動が動力変換機構により開閉カバーの閉鎖又は開放方向への回転に変換される。このように、プッシュボタンの押圧操作により開閉カバーを開放及び閉鎖させることができるので、開閉カバーの開閉操作性に優れる。そのため、例えば、爪の長い女性は爪のひっかかりを気にせずに開閉カバーを開閉することができる。
また、前記開閉カバーは、前記スライド部材が前記第１スライド位置に位置するときに前記サンバイザ本体の表面側の一部を閉鎖し、前記スライド部材が前記第２スライド位置に位置するときに前記サンバイザ本体の表面側の一部を開放する場合は、プッシュボタンの押圧操作によって、スライド部材が第２スライド位置に向かってスライド移動するときに開閉カバーが開放する方向に回転される一方、弾性体の付勢力によりスライド部材が第１スライド位置に向かってスライド移動するときに開閉カバーが閉鎖する方向に回転される。これにより、弾性体の付勢力を利用して開閉カバーを容易且つ迅速に閉鎖させることができる。
また、前記スライド部材に、プッシュボタンの押圧方向に交差する斜面部が設けられている場合は、スライド部材が第１スライド位置に位置するときに押圧操作されるプッシュボタンの当接部がスライド部材の斜面部に当接して、このスライド部材が第２スライド位置に向かってスライド移動される。これにより、簡易且つ安価な構造でもってスライド部材をより確実にスライド移動させることができる。
また、前記スライド部材に被案内部が設けられている場合は、スライド部材がスライド移動するときにスライド部材の被案内部がサンバイザ本体の案内部に案内される。これにより、スライド部材のスライド方向周りの回転を確実に防止することができる。
また、前記ロック部材に支持片が設けられ、該支持片に係止部が設けられている場合は、スライド部材が第１及び第２スライド位置に位置するときに係止部がスライド部材に係止してスライド部材が位置決めされる。また、スライド部材が第２スライド位置に位置するときに押圧操作されるプッシュボタンの当接部がロック部材の支持片に当接して支持片が弾性変形し、この支持片の弾性変形により係止部とスライド部材との係止が解除されてスライド部材の位置決めが解除される。これにより、簡易且つ安価な構造でもってスライド部材をより確実に位置決め及び解除することができる。
また、前記動力変換機構が、前記スライド部材及び前記開閉カバーのうちの一方に設けられた雄ネジと、他方に設けられ該雄ネジと螺合する雌ネジと、を有している場合は、簡易且つ安価な構造でもってスライド部材のスライド移動を開閉カバーの回動により円滑に変換することができる。
また、前記サンバイザ本体の表面側の一部に第１機能部品が設けられ、前記開閉カバーの表面側に第２機能部品が設けられている場合は、開閉カバーがサンバイザ本体の表面側の一部を開放したときに、使用者は第１及び第２機能部品の両部品を利用することができる。一方、開閉カバーがサンバイザ本体の表面側の一部を閉鎖したときには、第１及び第２機能部品の両部品が外部から隠され、第１及び第２機能部品でサンバイザ機能が阻害されてしまうことがない。
さらに、前記第１機能部品及び前記第２機能部品が鏡又は照明装置である場合は、鏡又は照明装置を有効に利用することができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るサンバイザにおいて開閉カバーを開放させた状態を示す斜視図である。
【図２】上記サンバイザにおいて開閉カバーを閉鎖させた状態を示す斜視図である。
【図３】実施例に係る固定側のミラーユニットを示す分解斜視図である。
【図４】実施例に係る開閉側のミラーユニットを示す分解斜視図である。
【図５】実施例に係るロックユニットを示す分解斜視図である。
【図６】図１のＶＩ−ＶＩ線断面図である。
【図７】図６の要部拡大図である。
【図８】図１のＶＩＩＩ−ＶＩＩＩ線断面図である。
【図９】図１のＩＸ−ＩＸ線断面図である。
【図１０】開閉カバーの開放動作を説明するための作用説明図であり、（ａ）はスライド部材が第１スライド位置に位置する状態を示し、（ｂ）はスライド部材が第２スライド位置に向かってスライド移動する状態を示し、（ｃ）はスライド部材が第２スライド位置に位置する状態を示す。
【図１１】開閉カバーの閉鎖動作を説明するための作用説明図であり、（ａ）はスライド部材が第２スライド位置に位置する状態を示し、（ｂ）はスライド部材が第１スライド位置に向かってスライド移動する状態を示し、（ｃ）はスライド部材が第１スライド位置に位置する状態を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．サンバイザ
本実施形態１．に係るサンバイザは、サンバイザ本体と、このサンバイザ本体にスライド自在に支持されるスライド部材と、このスライド部材をスライド部材のスライド方向に沿う第１スライド位置及び第２スライド位置で位置決め可能なロック部材と、第２スライド位置に位置するスライド部材を第１スライド位置に向かって付勢する弾性体と、サンバイザ本体の表面側に押圧操作可能に設けられ、スライド部材が第１スライド位置に位置するときにスライド部材の一部に対向又は接触し且つスライド部材が第２スライド位置に位置するときにロック部材の一部に対向又は接触する当接部を有するプッシュボタンと、サンバイザ本体の表面側の一部を開閉するようにサンバイザ本体に回動自在に支持される開閉カバーと、スライド部材と開閉カバーとの間に設けられ、スライド部材のスライド移動を開閉カバーの回動に変換する動力変換機構と、を備え、プッシュボタンの押圧操作によって、スライド部材が第１スライド位置に位置するときには、プッシュボタンの当接部がスライド部材の一部に当接してスライド部材が第２スライド位置に向かってスライド移動され（例えば、図１０（ａ）〜（ｃ）参照）、スライド部材が第２スライド位置に位置するときには、プッシュボタンの当接部がロック部材の一部に当接してロック部材によるスライド部材の位置決めが解除され、弾性体の付勢力によりスライド部材が第１スライド位置に向かってスライド移動される（例えば、図１１（ａ）〜（ｃ）参照）ようにしたことを特徴とする。
【００１１】
上記「サンバイザ本体」の構造、形状、大きさ、材質等は特に問わない。このサンバイザ本体は、例えば、車両天井部に自在継手により取り付けられ、車両天井部に格納された状態と車室内側に引き出された状態との間で回動可能に支持されていることができる。
【００１２】
上記「スライド部材」のスライド形態、構造、形状、大きさ、材質等は特に問わない。このスライド部材は、通常、サンバイザ本体の平面に沿う方向にスライド自在に支持される。また、このスライド部材には、例えば、スライド部材が第１スライド位置に位置するときに押圧操作されるプッシュボタンの当接部が当接し且つプッシュボタンの押圧方向に交差する斜面部が形成されていることができる。この斜面部は、通常、スライド部材のスライド方向に交差している。また、このスライド部材には、例えば、スライド部材がスライド移動するときにサンバイザ本体に設けられた案内部に案内される被案内部が設けられていることができる。この案内部としては、例えば、スライド部材のスライド方向に沿って延びる案内条、案内溝等を挙げることができる。この被案内部としては、例えば、スライド部材のスライド方向に沿って延びる案内条、案内溝等を挙げることができる。また、スライド部材のスライド間隔は、例えば、５〜２０ｍｍ（好ましくは８〜１５ｍｍ、特に１０〜１２ｍｍ）であることができる。
【００１３】
上記「ロック部材」のロック形態、構造、形状、大きさ、材質等は特に問わない。このロック部材には、例えば、スライド部材が第２スライド位置に位置するときに押圧操作されるプッシュボタンの当接部が当接して弾性変形する支持片が設けられ、この支持片には、第１及び第２スライド位置に位置するスライド部材に係止可能な係止部が設けられていることができる。この場合、例えば、スライド部材には、スライド部材が第１スライド位置に位置するときにロック部材の係止部が係止する第１被係止部と、スライド部材が第２スライド位置に位置するときにロック部材の係止部が係止する第２被係止部とが設けられていることができる。これにより、スライド部材をより確実に位置決めすることができる。
【００１４】
上記「プッシュボタン」の押圧形態、構造、形状、大きさ、材質等は特に問わない。このプッシュボタンは、例えば、サンバイザ本体の平面に交差する方向に押圧操作可能とされていることができる。また、このプッシュボタンは、例えば、サンバイザ本体に設けられる支持片を介して弾性変位自在に支持されていることができる。また、このプッシュボタンの押圧距離は、例えば、２〜５ｍｍ（好ましくは３〜５ｍｍ、特に３〜４ｍｍ）であることができる。
【００１５】
上記「弾性体」の構造、形状、大きさ、材質等は特に問わない。この弾性体としては、例えば、バネ、ゴム、発泡体、エアクッション機構等を挙げることができる。これらのうち、簡易且つ安価な構造といった観点から、バネ（特にコイルバネ）であることが好ましい。また、この弾性体は、例えば、サンバイザ本体とスライド部材との間に設けられていることができる。
【００１６】
上記「開閉カバー」の開閉形態、構造、形状、大きさ、材質等は特に問わない。この開閉カバーの回動軸は、通常、サンバイザ本体の平面に沿って配置されている。また、この開閉カバーは、例えば、スライド部材が第１スライド位置に位置するときにサンバイザ本体の表面側の一部を閉鎖し、スライド部材が第２スライド位置に位置するときにサンバイザ本体の表面側の一部を開放することができる。また、この開閉カバーの回動角度範囲は、例えば、０〜１９０度（好ましくは０〜１８５度、特に０〜１８０度）であることができる。
【００１７】
上記「動力変換機構」の動力変換形態、構造、形状、大きさ等は特に問わない。この動力変換機構としては、例えば、ネジ機構、ギヤ機構、カム機構、リンク機構、ベルト機構等のうちの１種又は２種以上の組み合わせを挙げることができる。これらのうち、簡易且つ安価な構造といった観点から、ネジ機構であることが好ましい。このネジ機構としては、例えば、スライド部材及び開閉カバーのうちの一方に設けられた雄ネジと、他方に設けられ雄ネジと螺合する雌ネジと、を有している形態を挙げることができる。なお、上記ネジとは、らせん状に延びる突起、溝等を含む広い意味として用いる。
【００１８】
ここで、上記実施形態１．に係るサンバイザとしては、例えば、サンバイザ本体の表面側の一部には、開閉カバーがサンバイザ本体の表面側の一部を開放したときに外部に露出する第１機能部品が設けられ、開閉カバーの表面側には、開閉カバーがサンバイザ本体の表面側の一部を開放したときに外部に露出する第２機能部品が設けられている形態を挙げることができる。この第１及び第２機能部品としては、例えば、鏡、照明装置、カードホルダ、シークレットボックス、ネットポケット、液晶等の表示モニタ等を挙げることができる。これらのうち、第１及び第２機能部品が鏡又は照明装置であることが好ましい。これら第１及び第２機能部品が鏡である場合には、例えば、上記開閉カバーの回動角度範囲が１８０±１０度（好ましくは１８０±５度、特に１８０±３度）とされていることができる。これにより、開閉カバーの開放時に鏡の鏡面面積をより広く設定でき、使用者は両方の鏡を有効的に利用することができる。また、上記開閉カバーは、例えば、その回転軸が使用時のサンバイザの下縁側に左右方向に沿って配置されて使用時のサンバイザの下側に向かって開くように構成されていることができる。これにより、例えば、女性のような座高の低い使用者であっても鏡を有効に利用することができる。また、これら第１及び第２機能部品が照明装置である場合には、照明装置の照明方向の自由度を高めたり、照明範囲を広くしたりできる。
【００１９】
さらに、上記実施形態１．のサンバイザとしては、例えば、サンバイザ本体に取り付けられるハウジングを更に備え、このハウジングの外壁には上記プッシュボタンが押圧操作可能に設けられ、このハウジングの内部空間には、上記スライド部材がスライド自在に支持されるとともに、上記ロック部材及び弾性体が設けられている形態を挙げることができる。これにより、スライド部材の位置決め機構をユニット化してその取扱性を高めることができる。
【実施例】
【００２０】
以下、図面を用いて実施例により本発明を具体的に説明する。
【００２１】
（１）サンバイザの構成
本実施例に係るサンバイザ１は、図１及び２に示すように、車両天井部に自在継手（図示せず）により取り付けられ、車両天井部に格納された状態と車室内側に引き出された状態との間で回動可能に支持される平面略矩形状のサンバイザ本体２を備えている。このサンバイザ本体２の表面側（車室内側に引き出された状態で使用者（乗員）に対向する表面側）には、固定側のミラーユニット３、開閉側のミラーユニット４（本発明に係る「開閉カバー」として例示する。）及びロックユニット５が設けられている。
【００２２】
上記固定側のミラーユニット３は、図３に示すように、樹脂製の支持枠７と、この支持枠７の内周側に取り付けられる鏡８（本発明に係る「第１機能部品」として例示する。）と、を備えている。この支持枠７の一辺には、サンバイザ本体２の左右方向に沿って延びる一対の支持軸９ａ，９ｂが同軸上に所定間隔をもって形成されている。一方の支持軸９ａには、軸方向に沿ってスリット６が形成されている。また、他方の支持軸９ｂは円筒状に形成されている。また、この支持枠７の一辺には弾性変形可能なフック部７ａが形成されている。このフック部７ａをサンバイザ本体２の表面側の一部に形成された凹部２ａ（図２参照）の側壁に係止させることによって、この固定側のミラーユニット３はサンバイザ本体２に固定される。なお、支持枠７の一辺の表面側には、開閉側のミラーユニット４と接触する緩衝用突起７ｂが設けられている。
【００２３】
上記開閉側のミラーユニット４は、図４に示すように、樹脂製の支持枠１１と、樹脂製の支持板１２と、これら支持枠１１と支持板１２との間に挟持される鏡１３（本発明に係る「第２機能部品」として例示する。）と、を備えている。この支持板１２の一辺には、サンバイザ本体２の左右方向に沿って延びる円筒状の回転軸１４ａと、この回転軸１４ａの一端側から軸方向に延びる中実状の回転軸１４ｂと、が形成されている。この回転軸１４ａの内周面側には、図６に示すように、後述するスライド部材の雌ネジと螺合する雄ネジ１５が形成されている。また、回転軸１４ｂは、上記支持軸９ａにスリット６を介して嵌入されて軸支されている。そして、この開閉側のミラーユニット４は、固定側のミラーユニット３の表面側（本発明に係る「サンバイザ本体の表面側の一部」として例示する。）を開放する開放状態Ａ（図１及び図８参照）と、固定側のミラーユニット３の表面側を閉鎖する閉鎖状態Ｂ（図２及び図９参照）とに回動自在に支持されている。この開閉側のミラーユニット４の回動角度範囲は約１８０度とされている。そして、この開閉側のミラーユニット４が開放状態Ａであるときには両ミラーユニット３，４の鏡８，１３が外部に露出される一方、この開閉側のミラーユニット４が閉鎖状態Ｂであるときには両ミラーユニット３，４の鏡８，１３が外部から隠される。
【００２４】
上記ロックユニット５は、図５及び図７に示すように、サンバイザ本体２の表面側に取り付けられるハウジング１７を備えている。このハウジング１７は、縦断面略Ｕ字状で樹脂製のケース１８と、このケース１８の上方開放部を塞ぐように爪部１９ａによりケース１８に取り付けられる平板状で樹脂製の蓋体１９と、を有している。この蓋体１９には平面略Ｕ字状の切欠き部２０が形成されており、弾性変形可能な支持片２１が形成されている。この支持片２１の自由端側にはプッシュボタン２３が設けられている。したがって、このプッシュボタン２３は、支持片２１により弾性変位自在に支持されており、サンバイザ本体２の平面に略直交する方向に押圧操作可能に設けられている。このプッシュボタン２３の押圧距離は約３ｍｍとされている。また、このプッシュボタン２３は、支持片２１の自由端側の上面側に形成され上方に向かって突出する突起部２４と、この突起部２４に取り付けられるドーム状のカバー２５と、この支持片２１の自由端側の下面側に形成され下方に向かって突出する当接部２６と、を有している。
【００２５】
また、上記ハウジング１７の内部空間には、サンバイザ本体２の左右方向に沿って延びる棒状で樹脂製のスライド部材３０が第１スライド位置Ｐ１（図１０（ａ）参照）と第２スライド位置Ｐ２（図１１（ａ）参照）との間でスライド自在に支持されている。このスライド部材３０は、縦断面略Ｕ字状の本体３１と、この本体３１の一端側からスライド部材３０のスライド方向に沿って延びる丸棒状のスライド軸３２と、を有している。この本体３１の上壁３１ａには切欠き部３３が形成され、傾斜板状の斜面部３４（本発明に係る「スライド部材の一部」として例示する。）が弾性変形可能に設けられている。この斜面部３４は、プッシュボタン２３の押圧方向及びスライド部材３０のスライド方向に交差している。また、この斜面部３４には、スライド部材３０が第１スライド位置Ｐ１に位置するときにプッシュボタン２３の当接部２６が対向するようになっている。
【００２６】
また、上記本体３１の側面には、スライド方向に沿って延びる左右の案内条３５（本発明に係る「被案内部」として例示する。）が設けられている。この案内条３５は、ケース１８の側壁１８ａの内側にスライド方向に沿って延びて形成された左右の案内溝３６（本発明に係る「案内部」として例示する。）内にスライド自在に案内されている。また、この本体３１の上壁３１ａには、スライド部材３０が第１スライド位置Ｐ１に位置するときに後述する係止部が係止する第１貫通孔３７ａ（本発明に係る「第１被係止部」として例示する。）と、スライド部材３０が第２スライド位置Ｐ２に位置するときに後述する係止部が係止する第２貫通孔３７ｂ（本発明に係る「第２被係止部」として例示する。）と、がスライド方向に沿って所定間隔で設けられている。なお、スライド部材３０のスライド間隔は約１０ｍｍとされている。
【００２７】
また、上記ハウジング１７の内部空間には、スライド部材３０を第１スライド位置Ｐ１及び第２スライド位置Ｐ２で位置決め可能とする樹脂製のロック部材４０が取り付けられている。このロック部材４０は、ケース１８の後壁１８ｂに形成された凹部１８ｃに嵌入される角棒状の本体４１と、この本体４１の一端側からスライド部材３０のスライド方向に突出する屈曲板状の支持片４２（本発明に係る「ロック部材の一部」として例示する。）と、を有している。この支持片４２の上面側には、上方に向かって突出し且つスライド部材３０の第１及び第２貫通孔３７ａ，３７ｂに係止可能な係止部４３が設けられている。この係止部４３とスライド部材３０の第１貫通孔３７ａとの係止によりスライド部材３０が第１スライド位置Ｐ１に位置決めされる（図１０（ａ）参照）。一方、この係止部４３とスライド部材３０の第２貫通孔３７ｂとの係止によりスライド部材３０が第２スライド位置Ｐ２に位置決めされる（図１１（ａ）参照）。また、この支持片４２は、スライド部材３０が第２スライド位置Ｐ２に位置するときに押圧操作されるプッシュボタン２３の当接部２６が当接して弾性変形するようになっている。この支持片４２の弾性変形により係止部４３と第２貫通孔３７ｂとの係止が解除されてロック部材４０によるスライド部材３０の位置決めが解除される（図１１（ａ）参照）。
【００２８】
また、上記ハウジング１７の内部空間には、ケース１８の後壁１８ｂとスライド部材３０の本体３１の端面との間にコイルバネ４６（本発明に係る「弾性体」として例示する。）が介装されている。そして、このコイルバネ４６によって、第２スライド位置Ｐ２に位置するスライド部材３０が第１スライド位置Ｐ１に向かって付勢される（図１１（ａ）参照）。
【００２９】
また、上記スライド部材３０のスライド軸３２の外周面側には、図６に示すように、上記開閉側のミラーユニット４の回転軸１４ａの雄ネジ１５と螺合する雌ネジ４８が形成されている。これら開閉側のミラーユニット４の雄ネジ１５とスライド部材３０の雌ネジ４８との螺合によって、スライド部材３０のスライド移動力が開閉側のミラーユニット４の回動力に変換されるようになっている。ここで、上記実施例に係る雄ネジ１５及び雌ネジ４８によって、本発明に係る「動力変換機構」が構成されているといえる。
【００３０】
（２）サンバイザの作用
次に、上記構成のサンバイザ１の作用について説明する。
先ず、開閉側のミラーユニット４の開放作用について説明する。図１０（ａ）に示すように、開閉側のミラーユニット４が閉鎖状態Ｂ（図２及び図９参照）であるときには、ロック部材４０の係止部４３がスライド部材３０の第１貫通孔３７ａに係止しており、ロック部材４０によりスライド部材３０が第１スライド位置Ｐ１に位置決めされている。この位置決め状態では、ロック部材４０の支持片４２の自由端側の上方はスライド部材３０の斜面部３４で覆われており、プッシュボタン２３の当接部２６がスライド部材３０の斜面部３４に対向している。
【００３１】
この状態より、プッシュボタン２３を押圧操作すると、図１０（ｂ）に示すように、プッシュボタン２３の当接部２６がスライド部材３０の斜面部３４に当接して斜面部３４を下方に押圧する。この斜面部３４の押圧によって、ロック部材４０の係止部４３が第１貫通孔３７ａから抜き出てロック部材４０によるスライド部材３０の位置決めが解除され、コイルバネ４６の付勢力に抗してスライド部材３０が第２スライド位置Ｐ２に向かってスライド移動される。このとき、スライド部材３０の雌ネジ４８と開閉側のミラーユニット４の雄ネジ１５との螺合により、スライド部材３０のスライド移動力は開閉側のミラーユニット４の開放方向への回転力に変換される。
【００３２】
その後、プッシュボタン２３を更に押圧操作すると、図１０（ｃ）に示すように、ロック部材４０の係止部４３がスライド部材３０の第２貫通孔３７ａに係止して、ロック部材４０によりスライド部材３０が第２スライド位置Ｐ２に位置決めされ、開閉側のミラーユニット４は開放状態Ａ（図１及び図８参照）とされる。このときプッシュボタン２３の押圧操作を止めると、支持片２１の弾性復元力によりプッシュボタン２３が元の位置に戻される（図１０（ｃ）中に仮想線で示す。）。
【００３３】
次に、開閉側のミラーユニット４の閉鎖作用について説明する。図１１（ａ）に示すように、開閉側のミラーユニット４が開放状態Ａ（図１及び図８参照）であるときには、ロック部材４０の係止部４３がスライド部材３０の第２貫通孔３７ｂに係止しており、ロック部材４０によりスライド部材３０が第２スライド位置Ｐ２に位置決めされている。この位置決め状態では、ロック部材４０の支持片４２の自由端側の上方はスライド部材３０の斜面部３４で覆われておらず、プッシュボタン２３の当接部２６がロック部材４０の支持片４２に対向している。この状態より、プッシュボタン２３を押圧操作すると、プッシュボタン２３の当接部２６がロック部材４０の支持片４２に当接して支持片４２を下方に押圧して支持片４２が弾性変形する。
【００３４】
すると、図１１（ｂ）に示すように、ロック部材４０の係止部４３がスライド部材３０の第２貫通孔３７ａから抜き出てロック部材４０による位置決めが解除され、コイルバネ４６の付勢力によりスライド部材３０が第１スライド位置Ｐ１に向かってスライド移動される。このとき、スライド部材３０の雌ネジ４８と開閉側のミラーユニット４の雄ネジ１５との螺合により、スライド部材３０のスライド移動力は開閉側のミラーユニット４の閉鎖方向への回転力に変換される。
【００３５】
その後、コイルバネ４６の付勢力によるスライド部材３０のスライド移動が更に進むと、図１１（ｃ）に示すように、ロック部材４０の係止部４３がスライド部材３０の第１貫通孔３７ａに係止して、ロック部材４０によりスライド部材３０が第１スライド位置Ｐ１に位置決めされ、開放側のミラーユニット４は閉鎖状態Ｂ（図２及び図９参照）とされる。
【００３６】
（３）実施例の効果
以上より、本実施例のサンバイザ１によると、プッシュボタン２３の押圧操作によって、スライド部材３０が第１スライド位置Ｐ１に位置決めされているときには、押圧操作されるプッシュボタン２３の当接部２６がスライド部材３０の一部に当接してスライド部材３０が第２スライド位置Ｐ２に向かってスライド移動され、動力変換機構によりスライド部材３０のスライド移動が開閉側のミラーユニット４の開放又は閉鎖方向への回転に変換される。一方、スライド部材３０が第２スライド位置Ｐ２に位置決めされているときには、押圧操作されるプッシュボタン２３の当接部２６がロック部材４０の一部に当接してロック部材４０によるスライド部材３０の位置決めが解除され、コイルバネ４６の付勢力によりスライド部材３０が第１位置Ｐ１に向かってスライド移動され、動力変換機構によりスライド部材３０のスライド移動が開閉側のミラーユニット４の閉鎖又は開放方向への回転に変換される。このように、プッシュボタン２３の押圧操作により開閉側のミラーユニット４を開放及び閉鎖させることができるので、開閉側のミラーユニット４の開閉操作性に優れる。そのため、例えば、爪の長い女性は爪のひっかかりを気にせずに開閉側のミラーユニット４を開閉することができる。
【００３７】
また、本実施例では、開閉側のミラーユニット４を、スライド部材３０が第１スライド位置Ｐ１に位置するときに固定側のミラーユニット３を閉鎖し、スライド部材３０が第２スライド位置Ｐ２に位置するときに固定側のミラーユニット３を開放するようにしたので、プッシュボタン２３の押圧操作によって、スライド部材３０が第２スライド位置Ｐ２に向かってスライド移動するときに開閉側のミラーユニット４が開放方向に回転される一方、コイルバネ４６の付勢力によりスライド部材３０が第１スライド位置Ｐ１に向かってスライド移動するときに開閉側のミラーユニット４が閉鎖方向に回転される。これにより、コイルバネ４６の付勢力を利用して開閉側のミラーユニット４を容易且つ迅速に閉鎖させることができる。
【００３８】
また、本実施例では、スライド部材３０に、プッシュボタン２３の押圧方向に交差する斜面部３４を形成したので、スライド部材３０が第１スライド位置Ｐ１に位置するときに押圧操作されるプッシュボタン２３の当接部２６がスライド部材３０の斜面部３４に当接して、スライド部材３０が第２スライド位置Ｐ２に向かってスライド移動される。これにより、簡易且つ安価な構造でもってスライド部材３０をより確実にスライド移動させることができる。
【００３９】
また、本実施例では、スライド部材３０に案内条３５を設けたので、スライド部材３０がスライド移動するときにスライド部材３０の案内条３５がサンバイザ本体２の案内溝３６に案内される。これにより、スライド部材３０のスライド方向周りの回転を確実に防止することができる。
【００４０】
また、本実施例では、ロック部材４０に支持片４２を設け、この支持片４２に係止部４３を設けたので、スライド部材３０が第１及び第２スライド位置Ｐ１，Ｐ２に位置するときに係止部４３がスライド部材３０に係止してスライド部材３０が位置決めされる。また、スライド部材３０が第２スライド位置Ｐ２に位置するときに押圧操作されるプッシュボタン２３の当接部２６がロック部材４０の支持片４２に接触して支持片４２が弾性変形し、この支持片４２の弾性変形により係止部４３とスライド部材３０との係止が解除されロック部材４０によるスライド部材３０の位置決めが解除される。これにより、簡易且つ安価な構造でもってスライド部材３０をより確実に位置決め及び解除することができる。
【００４１】
また、本実施例では、動力変換機構として、開閉側のミラーユニット４に設けられた雄ネジ１５と、スライド部材３０に設けられ雄ネジ１５と螺合する雌ネジ４８と、を有してなる機構を採用したので、簡易且つ安価な構造でもってスライド部材３０のスライド移動を開閉側のミラーユニット４の回動により確実に変換することができる。
【００４２】
また、本実施例では、固定側のミラーユニット３の表面側に鏡８を設け、開閉側のミラーユニット４の表面側に鏡１３を設けたので、開閉側のミラーユニット４が固定側のミラーユニット３を開放したときに、使用者は両ミラーユニット３，４の鏡８，１３を利用することができる。一方、開閉側のミラーユニット４が固定側のミラーユニット３を閉鎖したときには、両ミラーユニット３，４の鏡８，１３が外部から隠されサンバイザ機能が阻害されない。これに対して、サンバイザ本体に対して開閉側のミラーユニットをスライド自在に支持してなる形態では、開閉側のミラーユニットが固定側のミラーユニットを閉鎖したときに、固定側のミラーユニットの鏡は外部から隠されることとなるが、開閉側のミラーユニットの鏡が外部に露出した状態となるため、その鏡での光の反射等により運転に支障が生じてしまう恐れがある。
【００４３】
さらに、本実施例では、サンバイザ本体２に取り付けられるハウジング１７の蓋体１９にプッシュボタン２３を設け、このハウジング１７の内部空間に、スライド部材３０をスライド自在に支持するとともに、ロック部材４０及びコイルバネ４６を設けたので、スライド部材３０の位置決め機構をユニット化してその取扱性を高めることができる。
【００４４】
なお、本発明においては、上記実施例に限られず、目的、用途に応じて本発明の範囲内で種々変更した実施例とすることができる。即ち、上記実施例では、固定側及び開閉側のミラーユニット３，４を備える形態を例示したが、これに限定されず、例えば、固定側及び開閉側のミラーユニット３，４のうちの少なくとも一方を照明機能を発揮する照明ユニットとするようにしてもよい。特に開閉側のミラーユニット４を照明ユニットに変更し、開閉角度範囲を適当な値に設定すれば、照明ユニットで使用者（乗員）のひざ部分等の所望の部位を好適に照明することができる。
【００４５】
また、上記実施例では、開閉カバーとして開閉側のミラーユニット４を例示したが、これに限定されず、例えば、開閉側のミラーユニット４から鏡１３を取り外して補助サンバイザとして使用するようにしてもよい。これにより、補助サンバイザを開放させればサンバイザ面積を拡大でき、座高の低い例えば女性ドライバーなどもサンバイザ機能を十分に享受することができる。
【００４６】
また、上記実施例では、開閉側のミラーユニット４の回動角度範囲を約１８０度とした形態を例示したが、これに限定されず、例えば、スライド部材３０のスライド間隔を調整する等により開閉側のユニットを用途に応じた回動角度範囲を設定することができる。
【００４７】
また、上記実施例では、スライド部材３０、ロック部材４０、コイルバネ４６及びプッシュボタン２３を備えるロックユニット５をサンバイザ本体２に取り付けるようにしたが、これに限定されず、例えば、スライド部材３０、ロック部材４０、コイルバネ４６及びプッシュボタン２３のうちの１又は２以上の部材をサンバイザ本体２に直接的に設けるようにしてもよい。
【００４８】
また、上記実施例では、スライド部材３０を第１及び第２スライド位置Ｐ１，Ｐ２の２位置で位置決めするようにしたが、これに限定されず、例えば、第１及び第２スライド位置Ｐ１，Ｐ２の他の１又は２以上のスライド位置でもスライド部材３０を位置決め可能としてもよい。
【００４９】
さらに、上記実施例では、支持枠７に鏡８を取り付けてなる固定側のミラーユニット３をハウジング本体２に取り付けるようにしたが、これに限定されず、例えば、ハウジング本体２に設けた取付部に鏡８を直接的に取り付けるようにしてもよい。
【００５０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００５１】
本発明は上記で詳述した実施形態に限定されず、本発明の請求項に示した範囲で様々な変形または変更が可能である。
【産業上の利用可能性】
【００５２】
開閉カバーを備えるサンバイザに関する技術として広く利用される。特に、乗用車、バス、トラック等の他、列車、汽車等の鉄道車両、建設車両、農業車両、産業車両などの車両用のサンバイザとして好適に利用される。
【符号の説明】
【００５３】
１；サンバイザ、２；サンバイザ本体、３；固定側のミラーユニット、４；開閉側のミラーユニット、８，１３；鏡、１５；雄ネジ、２３；プッシュボタン、２６；当接部、３０；スライド部材、３４；斜面部、３５；案内条、３６；案内溝、３７ａ；第１貫通孔、３７ｂ；第２貫通孔、４０；ロック部材、４２；支持片、４３；係止部、４６；コイルバネ、４８；雌ネジ、Ａ；開放状態、Ｂ；閉鎖状態、Ｐ１；第１スライド位置、Ｐ２；第２スライド位置。
【図１】
2011006004.tif 000003
【図２】
2011006004.tif 000004
【図３】
2011006004.tif 000005
【図４】
2011006004.tif 000006
【図５】
2011006004.tif 000007
【図６】
2011006004.tif 000008
【図７】
2011006004.tif 000009
【図８】
2011006004.tif 000010
【図９】
2011006004.tif 000011
【図１０】
2011006004.tif 000012
【図１１】
2011006004.tif 000013